(57)【要約】【課題】  可動式手摺りの保持を確実に維持しつつ、その可動式手摺りの着脱操作を簡単化できる手摺り用保持具を提供する。【解決手段】  一対の保持爪１３の開放状態時には、各保持爪１３の基端部２６をばね付勢されている制御片１４の作動部３０の移動領域に臨ませ、一対の保持爪１３の閉じ状態時には、各保持爪１３の基端部２６を制御片１４の作動部３０の移動領域から退出しているようにする。これにより、手摺り６の押し込みだけで、一対の保持爪を回動させて、閉じ状態とし、その閉じ状態を、一対の保持爪１３の基端部２６と制御片１４の作動部３０の側面との当接関係により維持する。【選択図】        図１２
2008215010.tif 000002
【特許請求の範囲】
【請求項１】
壁面に取付けられて該壁面に沿うように収納配置される手摺りを着脱可能に保持する手摺り用保持具であって、
前記壁面から張り出すための支持板と、
前記支持板の先端部に支持軸を介して回動可能にそれぞれ取付けられ、該各支持軸よりも先端側の先端部が、該支持板の先端部よりも前方側において、前記手摺りが進入、退出可能となる開放状態と、該手摺りを取り囲むようにして保持する閉じ状態と、を取り得るように設定されている一対の保持爪と、
前記支持板に、前記両支持軸の間において前記支持板の張り出し方向に変位動可能に支持され、常時は該支持板の先端側に向けてばね部材により付勢される制御片と、
が備えられ、
前記各保持爪における前記各支持軸よりも基端側の基端部が、前記開放状態時には前記制御片の移動領域に臨み、前記閉じ状態時には該制御片の移動領域から退出しているように設定されている、
ことを特徴とする手摺り用保持具。
【請求項２】
請求項１において、
前記各保持爪の基端部が、前記開放状態時に前記制御片の移動領域に臨む作用面と、該開放状態時に前記制御片の側面に当接して該各保持爪による所定の開放状態以上の回動を規制する第１規制面と、前記閉じ状態時に前記制御片の移動領域外において該制御片の移動領域に隣り合うようにして臨む第２規制面と、を備える、
ことを特徴とする手摺り用保持具。
【請求項３】
請求項１において、
前記支持板に、該支持板の張り出し方向に延びるガイド孔又は該ガイド孔に摺動可能に嵌合される摺動部のいずれか一方が形成され、
前記制御片に、前記ガイド孔又は前記摺動部の他方が形成されている、
ことを特徴とする手摺り用保持具。
【請求項４】
請求項１において、
前記手摺りが、上下方向に揺動する跳ね上げ式とされると共に、手摺り使用時に上下に並設された状態をもって延びる一対の手摺り部を備えるものとされ、
前記一対の保持爪が、前記手摺りにおける一対の手摺り部のうち、その手摺りの使用時において上側配置となる手摺り部を保持するように設定されている、
ことを特徴とする手摺り用保持具。
【請求項５】
請求項１において、
前記手摺りが、水平方向に揺動する横振り式とされ、
前記一対の保持爪が、上下関係をもって配置される、
ことを特徴とする手摺り用保持具。
【請求項６】
請求項１〜５のいずれか１項において、
前記支持板にガードプレートが、非使用姿勢と使用姿勢とをとり得るように支持され、
前記ガードプレートは、前記使用姿勢にあるときには、前記一対の保持爪の前方に位置して該一対の保持爪を覆うように設定されている、
ことを特徴とする手摺り用保持具。
【発明の詳細な説明】
【技術分野】
【０００１】
本発明は、手摺り用保持具に関する。
【背景技術】
【０００２】
近年、身体障害者や足腰の弱くなった高齢者のトイレの便宜（座ったり、立上がったりする際に身体を支えるための便宜）を図るべく、腰掛便器の後壁に可動式手摺りを設けることが提案されている。この可動式手摺りは、広いスペースが必要とならないようにすべく、その基部が後壁に支持されて上下方向に揺動可能とされており、使用時には、その可動式手摺りは、前方に突出するように張り出された状態となる。その一方、非使用時には、可動式手摺りは、後壁に沿うように収納配置され、その収納配置状態は、後壁に取付けられている保持具に手摺りを保持させることにより維持される。
【０００３】
ところで、上記身体障害者や足腰の弱くなった高齢者がトイレを利用するに際し、介護を必要とする場合がある。この場合には、可動式手摺りは、介護に邪魔とならないようにするべく、後壁の保持具に可動式手摺りが保持される。しかし、その保持具は、一般に、拡縮可能な一対の係止片により構成され、その一対の係止片間に可動式手摺り（先端部）を押し込んで保持するだけの構成であり、介護者が、介護中に、不用意に収納配置状態の可動式手摺りを把持して力を加えた場合には、可動式手摺りが保持具から外れて、不測の状態が起こりかねない。このため、最近では、保持具として、特許文献１に示すように、保持筒内に回転リングを相対回転可能に設け、その保持筒及び回転リングに、可動式手摺りを出し入れするための幅広のスリットをそれぞれ形成したものが提案されている。これによれば、保持筒及び回転リングの両スリットを重ね合わせれば、その両スリットを介して可動式手摺りの出し入れを行うことができ、可動式手摺りを保持具に保持するに際しては、保持筒に対して回転リングを相対回転させて保持筒のスリットと回転リングのスリットとをずらせば、収納されている可動式手摺りを保持筒及び回転リングの両スリットを通って外部にでないようにすることができる。これにより、介護者が不用意に収納配置状態の可動式手摺りを把持して力を加えたとしても、可動式手摺りが保持具から外れることを確実に防止できる。
【特許文献１】特許第３３６８１２７号公報
【発明の開示】
【発明が解決しようとする課題】
【０００４】
しかし、上記保持具においては、その保持具に対して可動式手摺りを出し入れする際、保持筒に対して回転リングを相対回転させてその保持筒の幅広スリットに回転リングの幅広スリットを重ね合わせた上で、その両幅広スリットを介して可動式手摺りを保持具に対して出し入れしなければならず、可動式手摺りを保持具内に入れ込むに際しては、操作として、保持具（回転リング）に対する回転操作と、可動式手摺りの入れ込み操作とが必要となる。さらに、可動式手摺りの保持具内への入れ込み後においては、回転リングを保持筒に対して相対的に回転させて保持筒のスリットを通って可動式手摺りが出ることを回転リングにより規制しなければならず、可動手摺りの保持具への入れ込み後において、再び、回転操作が必要となる。しかも、このような保持具に対する操作（回転リングの回転操作）は、可動式手摺りの出し入れ操作と近似しているものとは言い難いものであり、操作に違和感を感じる傾向がある。
【０００５】
本発明は、このような事情に鑑みてなされたもので、その技術的課題は、可動式手摺りの保持を確実に維持しつつ、その可動式手摺りの着脱操作を簡単化できる手摺り用保持具を提供することになる。
【課題を解決するための手段】
【０００６】
前記技術的課題を達成するために本発明（請求項１に係る発明）においては、
壁面に取付けられて該壁面に沿うように収納配置される手摺りを着脱可能に保持する手摺り用保持具であって、
前記壁面から張り出すための支持板と、
前記支持板の先端部に支持軸を介して回動可能にそれぞれ取付けられ、該各支持軸よりも先端側の先端部が、該支持板の先端部よりも前方側において、前記手摺りが進入、退出可能となる開放状態と、該手摺りを取り囲むようにして保持する閉じ状態と、を取り得るように設定されている一対の保持爪と、
前記支持板に、前記両支持軸の間において前記支持板の張り出し方向に変位動可能に支持され、常時は該支持板の先端側に向けてばね部材により付勢される制御片と、
が備えられ、
前記各保持爪における前記各支持軸よりも基端側の基端部が、前記開放状態時には前記制御片の移動領域に臨み、前記閉じ状態時には該制御片の移動領域から退出しているように設定されている構成としてある。
【０００７】
この構成により、開放状態の一対の保持爪の両先端部間から内部に手摺りを進入させて、押し込み力をばね部材の付勢力に抗して一対の保持爪の両基端部に作用させれば、一対の保持爪は、各支持軸を中心として、その両基端部が互いに離れる方向（一対の保持爪の両先端部の場合には、互いに近づく方向）に移動する回動を行うことになり、その回動が進んで両基端部が制御片の移動領域から退出したときには、一対の保持爪の両先端部が閉じ状態となると共に、制御片が、ばね部材の復元力に基づき一対の保持爪の両基端部間に進入して、一対の保持爪の先端部の閉じ状態を維持するべく、その一対の保持爪の両基端部が互いに近づく方向に移動することを規制する。このため、開放状態にある一対の保持爪の両先端部間から内部に手摺りを押し込むだけで、一対の保持爪の両先端部及び支持板の先端部により手摺りを保持できると共に、その閉じ状態を確実且つ強固に維持できる。
また、保持具からの可動式手摺り部の取り外しに際しては、制御片を押圧して制御片を一対の保持爪の両基端部間から退出させると共に、可動式手摺りを前方側に引いて一対の保持爪の両基端部を制御片の移動領域に臨ませれば、この後、制御片に対する押圧力を解除しても、ばね部材の付勢力に基づき、一対の保持爪は、その両基端部が互いに近づく方向に回動して開放状態となる。このため、可動式手摺りの出し入れ操作と近似した簡単な押し操作を制御片に行い、違和感のある回転操作を行う必要がなくなる。
【０００８】
請求項１の好ましい態様として、前記各保持爪の基端部が、前記開放状態時に前記制御片の移動領域に臨む作用面と、該開放状態時に前記制御片の側面に当接して該各保持爪による所定の開放状態以上の回動を規制する第１規制面と、前記閉じ状態時に前記制御片の移動領域外において該制御片の移動領域に隣り合うようにして臨む第２規制面と、を備える構成を採ることができる（請求項２対応）。この構成により、各保持爪の基端部の各面をもって、上記作用を具体的に実現できる。
【０００９】
請求項１の好ましい態様として、前記支持板に、該支持板の張り出し方向に延びるガイド孔又は該ガイド孔に摺動可能に嵌合される摺動部のいずれか一方が形成され、前記制御片に、前記ガイド孔又は前記摺動部の他方が形成されている構成を採ることができる（請求項３対応）。この構成により、制御片の作動（閉じ状態の解除）を確実に行えるだけでなく、閉じ状態時に、一対の保持爪の開動力を、制御片、摺動部、ガイド孔内壁を介して支持板により受け止めさせることができ、一対の保持爪の両先端部による閉じ状態を強固に維持できる。
【００１０】
請求項１の好ましい態様として、前記手摺りが、上下方向に揺動する跳ね上げ式とされると共に、手摺り使用時に上下に並設された状態をもって延びる一対の手摺り部を備えるものとされ、前記一対の保持爪が、前記手摺りにおける一対の手摺り部のうち、その手摺りの使用時において上側配置となる手摺り部を保持するように設定されている構成を採ることができる（請求項４対応）。この構成により、手摺り使用時に上側配置となる手摺り部を一対の保持爪に強固に保持できる一方で、その保持時に、手摺り使用時に下側配置となる手摺り部を手前側に起立した状態で配置できることになり、その手前側の手摺り部を介護者等のための手摺りとして積極的に利用できる。
【００１１】
請求項１の好ましい態様として、前記手摺りが、水平方向に揺動する横振り式とされ、  前記一対の保持爪が、上下関係をもって配置される構成を採ることができる（請求項５対応）。この構成により、横振り式の手摺りであっても、強固に保持できる。
【００１２】
請求項１の好ましい態様として、前記支持板にガードプレートが、非使用姿勢と使用姿勢とをとり得るように支持され、
前記ガードプレートは、前記使用姿勢にあるときには、前記一対の保持爪の前方に位置して該一対の保持爪を覆うように設定されている構成を採ることができる（請求項６対応）。この構成により、当該保持具の非使用時に、ガードプレートが使用姿勢をとって、一対の保持爪等によりけがをすることを未然に防止できる。
【発明の効果】
【００１３】
本発明（請求項１に係る発明）によれば、可動式手摺りの保持を確実に維持しつつ、その可動式手摺りの着脱操作を簡単化できる手摺り用保持具を提供できる。
【発明を実施するための最良の形態】
【００１４】
以下、本発明の実施形態について、図面に基づいて説明する。
図１において、符号１はトイレであり、このトイレ１においては、床面２上には腰掛便器３が設置され、その腰掛便器３の後側には、後壁４が配置されている。
【００１５】
前記後壁４には、図１〜図３に示すように、可動式手摺り５が取付けられている。この手摺り５は、その基端側が水平回動軸心を中心として回動可能に後壁４に支持された跳ね上げ式とされており、この手摺り５は、使用時には、後壁４から突出して腰掛便器３の側方を通るように延び、非使用時（収納時）には、後壁４に沿うように配置されることになっている（図１の仮想線参照）。具体的には、この手摺り５は、並設された状態で延びる第１、第２手摺り部６，７を備えている。第１手摺り部６は、使用時に水平状態をもって後壁４から突出するようにすべく、ほぼ真っ直ぐに延びており、第２手摺り部７は、使用時に、第１手摺り部６の下方側に配置されて、基端側よりも先端側において間隔が拡がるように設定されている。この第１、第２手摺り部６，７は、その先端側が、湾曲した連結部８により連結され、その第１、第２手摺り部６，７の基端側は回転部材９により一体化され、その回転部材９は、後壁４に取付けられた支持部材１０に回転可能に支持されている。
【００１６】
前記後壁４には、図１〜図３に示すように、前記手摺り５の第１手摺り部６を着脱可能に保持する保持具１１が取付けられている。この保持具１１は、前記支持部材１０の上方に配置されており、その配置位置は、前記第１手摺り部６の揺動領域に臨むことになっている。
【００１７】
前記保持具１１は、図４〜図９に示すように、基板１２と、一対の保持爪１３と、制御片１４と、ガードプレート１５とを備えている。基板１２は、取付け板部１６と、支持板部（支持板）１７とを備えており、その取付け板部１６と支持板部１７とは略直角に折曲された状態をもって連続している。取付け板部１６は、留め具１８を用いて後壁４に該後壁４に沿わせるようにして取付けられており、このとき、取付け板部１６は、支持板部１７の下側に位置することになる。支持板部１７は、図１０に示すように、その幅方向（横方向、図７、図１０中、左右方向）長さを前記取付け板部１６の幅方向長さよりも多少、短くしつつ、後壁４から張り出されており、その支持板部１７の板面は水平状態になるように設定されている。この支持板部１７の先端側には、その幅方向内方側において、第１手摺り部６の断面形状を考慮して、平面視半楕円状の凹所１９が形成されており、これに伴い、支持板部１７の先端側には、その幅方向両側において、一対の先端部２０が形成されている。また、支持板部１７には、凹所１９よりも基端側において、ガイド孔２１が形成されている。このガイド孔２１は、支持板部１７を貫通した状態で該支持板部１７の張り出し方向に延びており、そのガイド孔２１の幅は、全体を通じて一定とされている。さらに、支持板部１７の基端部には、その幅方向両側において一対の起立板部２２が起立した状態で設けられている。
【００１８】
前記一対の保持爪１３は、図４〜７，図９，図１１，図１２に示すように、支持軸２３を介して前記支持板部１７の一対の先端部２０に回動可能にそれぞれ支持されている。各保持爪１３は、一定厚みの薄板をもってやや延びた形状に形成されており、その各板面は支持板部１７の下面に沿わされている。各支持軸２３は、各保持爪１３の長手方向略中間位置に位置されており、各保持爪１３のうち、支持軸２３よりも先端側の先端部２４は、支持板部１７の先端部２０よりも前方側に突出されていると共に、その両先端部２０は、手摺り５の取り囲みを可能とすべく、互いに近づくように湾曲されている。この両先端部２４は、支持軸２３を中心とした両保持爪１３の回動に伴い、協働して、前記第１手摺り部６が進入、退出可能となる開放状態（図４状態）と、該第１手摺り部６を取り囲むようにして保持する閉じ状態（図５状態）と、を取り得るようになっている。図１０中、符号２５は、支持軸２３を挿通させるための挿通孔である。
【００１９】
一方、各保持爪１３のうち、支持軸２３よりも基端側の基端部２６に関しては、図１１に示すように、その基端側の端面（基端面）２６ａの幅が、先端側よりも幅広に形成されている。この基端面２６ａには、基端部２６の幅方向外側において突出部２７が形成されており、その突出部２７の内側傾斜面２７ａは、基端面２６ａに連続している。この各突出部２７の内側傾斜面２７ａが第１規制面（同一符号２７ａを用いる）を構成しており、その第１規制面２７ａを除く保持爪１３の基端面２６ａが作用面２６ｂを構成している。また、各保持爪１３においては、作用面２６ｂに対して略直角に方向が変る幅方向内側面２８ａをそれぞれ有しており、その幅方向内側面２８ａが第２規制面（同一符号２８ａを用いる）をそれぞれ構成している。この両第２規制面２８ａは、一対の保持爪１３の両先端部２４が閉じ状態になったとき、平行に対向配置されるように設定されている（図１２参照）。
【００２０】
前記制御片１４は、図９，図１１，図１２に示すように、前記支持板部１７の下側に配置されている。制御片１４は、合成樹脂材を用いて一体的に形成されており、その制御片１４は、操作部２９と、その操作部２９の前方側に突出される作動部３０と、操作部２９及び作動部３０上にそれらの並設方向に延びるようにして突出される摺動部３１とを有している。操作部２９は、その幅方向（図１１中、左右方向）長さが比較的広く形成されているものの、支持板部１７の幅方向長さよりも短くされている。作動部３０は、その幅方向長さが操作部２９の幅方向長さ及び前記左右一対の支持軸２３間の長さよりも短くされて、その両支持軸２３間に臨むように配置されており、その幅方向長さは、突出方向全体に亘って一定とされている。摺動部３１は、前記ガイド孔２１に摺動可能に嵌合されており、その摺動部３１の上部には、ガイド孔２１を跨る座金３２を介して止めねじ３３がねじ込まれている。これにより、制御片１４は、支持板部１７に支持されると共に、ガイド孔２１と摺動部３１とにより支持板部１７の張り出し方向に変位動可能となっている。また、この制御片１４には、その背面側から外部に向けてばね収容孔３４が開口されている。このばね収容孔３４内には、ばね部材としてのコイルスプリング３５が収容されており、そのコイルスプリング３５は、ばね収容孔３４の底部と取付け板部１６との間に介装されて制御片１４を支持板部１７の張り出し方向に付勢している。
【００２１】
前記制御片１４の作動部３０の移動領域には、前記開放状態時に、前記各基端部２６の作用面２６ｂが臨み（図１１参照）、前記閉じ状態時には、その各作用面２６ｂが制御片１４の作動部３０の移動領域から退出するように設定されている（図１２参照）。これは、開放状態の一対の保持爪１３の両先端部２４間から内部に手摺り部６を進入させて、押し込み力をコイルスプリング３５の付勢力に抗して一対の保持爪１３の両基端部２６に作用させれば、一対の保持爪１３が、各支持軸２３を中心として、その両基端部２６が互いに離れる方向（一対の保持爪１３の両先端部２４の場合には、互いに近づく方向）に移動する回動を行うことになり、その回動を進めて両基端部２６が制御片１４の移動領域から退出したときには、一対の保持爪１３の両先端部２４が閉じ状態となるからであり、また、この閉じ状態になると、制御片１４の作動部３０がコイルスプリング３５の付勢力に基づき一対の保持爪１３の両第２規制面２８ａ間に進入し、その両第２規制面２８ａと作動部３０側面との当接関係に基づき、閉じ状態を確実に維持（一対の保持爪１３の両先端部２４が開くことを規制）しようとするからである。
また、本実施形態においては、各保持爪１３における基端部２６に第１規制面２７ａが設けられて、この各第１規制面２７ａと制御片１４の作動部３０の側面との当接関係に基づき、一対の保持爪１３の両先端部２４が所定以上開かないようになっている。このため、一対の保持爪１３の作用面２６ｂに制御片１４の作動部３０を介してコイルスプリング３５の付勢力を作用させて、その一対の保持爪１３の両先端部２４が確実に所定の開放状態となるようになっている。
【００２２】
前記保持具１１には、ガードプレート１５が備えられている。このガードプレート１５は、帯材を用いて略Ｕ字状に形成されており、その各端部は各起立板部２２に水平回転軸を中心として回動可能に支持されている。このガードプレート１５は、水平状態をもって取付け板部１６から突出されたときには（使用姿勢時）、そのガードプレート１５の両端面が取付け板部１６に当接してそのガードプレート１５の水平状態を維持すると共に、その状態において、一対の保持爪１３等の前方に位置してそれらを覆うことになっている。その一方、ガードプレート１５が上方に跳ね上げられたときには（非使用姿勢時）、ガードプレート１５は、一対の保持爪１３の前方側に存在しなくなり、一対の保持爪１３に対して前記第１手摺り部６が保持可能な状態となる。
【００２３】
次に、保持具１１の作動について説明する。
保持具１１の非使用時
保持具１１の非使用時のときには、可動式手摺り５は使用状態にあり、このときには、図２，図６に示すように、一対の保持爪１３の両先端部２４は開放状態にあると共に、その開放状態の一対の保持具１１等はガードプレート１５により覆われている。これにより、一対の保持爪１３が直接、外部に現れていることに基づきけがをすることを未然に防止できる。
【００２４】
保持具１１の使用時
保持具１１を使用するときは、可動式手摺り５を上方に揺動させて収納するときであり、このときには、先ず、ガードプレート１５が跳ね上げられて、一対の保持爪１３が外部に現れるようにされる。そして、開放状態にある一対の保持爪１３の両先端部２４間から内部に、可動式手摺り５を上方に揺動させることにより、図１１に示すように、その第１手摺り部６が押し込まれる。これにより、一対の保持爪１３の両基端部２６に第１手摺り部６が当接し、第１手摺り部６の押圧力（揺動力）は、一対の保持爪１３の両基端部２６を介して制御片１４の作動部３０に伝達される。このため、第１手摺り部６の押し込みに伴い、一対の保持爪１３は、その両基端部２６が互いに離れる方向に回動され、その一対の保持爪１３の回動に伴い、制御片１４の作動部３０は、コイルスプリング３５の付勢力に抗しつつ後退する。そして、一対の保持爪１３の回動が進み、その両基端部２６が制御片１４の作動部３０の移動領域から外れたときには、制御片１４の作動部３０には、両基端部２６による押圧力が作用しなくなり、制御片１４の作動部３０は、コイルスプリング３５の付勢力により一対の保持爪１３の両第２規制面２８ａ間に進入する（図１２参照）。これにより、制御片１４の作動部３０の側面と第２規制面２８ａとの関係に基づき、一対の保持爪１３の両基端部２６が互いに近づく方向に回動すること（開放状態に移行すること）が規制されることになり、一対の保持爪１３の両先端部２４は、支持板部１７の凹所１９内面と協働して、第１手摺り部６を取り囲む閉じ状態を維持する。このとき、制御片１４の摺動部３１が延びた状態で支持板部１７のガイド孔２１に嵌合されていることから、制御片１４は、各第２規制面２８ａを介して外力を受けても、支持板部１７の幅方向に変位動することはない。またこのとき、一対の保持爪１３の両基端部２６が制御片１４の作動部３０から外れて一対の保持爪１３の両第２規制面２８ａが作動部３０の側面に当接したとき、閉じ状態になったことを節度感をもって感じることができる。
【００２５】
保持具１１からの第１手摺り部６の取り外し
保持具１１から第１手摺り部６を取り外して、可動式手摺り５を使用状態にするに際しては、図１３に示すように、制御片１４の操作部２９を押圧して制御片１４の作動部３０を第２規制面２８ａ間から退出させると共に、図１４に示すように、第１手摺り部６を前方側に引いて一対の保持爪１３の基端部２６を制御片１４の作動部３０の移動領域に臨ませる。これにより、この後、制御片１４に対する押圧力を解除しても、コイルスプリング３５の付勢力が制御片１４の作動部３０を介して一対の保持爪１３の両基端部２６（作用面２６ｂ）に作用し、一対の保持爪１３は、その両基端部２６が互いに近づく方向に回動する。この回動は、一対の保持爪１３の両第１規制面２７ａが制御片１４の作動部３０側面に当接するまで進み、一対の保持爪１３の両先端部は、図１５に示すように、所定の開放状態となり、第１手摺り部６は容易に保持具１１から引き出される。
【００２６】
したがって、このような保持具１１を用いれば、第１手摺り部６を保持具１１に保持するに際しては、第１手摺り部６を一対の保持爪１３の両先端部２４間から内部に押し込むだけで、一対の保持爪１３の両先端部２４が第１手摺り部６を取り囲むことになり、保持具１１に対する第１手摺り部６の保持操作は極めて簡単となる。しかもこのとき、保持具１１は、その制御片１４の作動部３０側面と一対の保持爪１３の両第２規制面２８ａとの関係に基づき、一対の保持爪１３の両先端部が開放方向に移動することを規制して閉じ状態を強固に維持することになり、この保持具１１による第１手摺り部６の保持は確実に維持される。これにより、介護者が、介護中に、不用意に収納配置状態の可動式手摺り５を把持して力を加えたとしても、可動式手摺り５が保持具１１から外れることはなくなる。
また、本実施権においては、保持具１１に対して第１手摺り部６が保持されているとき、第２手摺り部７が第１手摺り部６よりも手前側に位置することになり、その第２手摺り部７を、第１手摺り部６が保持具１１に強固に保持されていることに基づき、積極的に介護者のための手摺り５として利用できる。
【００２７】
一方、保持具１１からの第１手摺り部６の取り外し操作に関しては、第１手摺り部６の出し入れ操作と近似した押し操作を制御片１４の操作部２９に行い、回転操作を行う必要がなくなる。このため、保持具１１からの第１手摺り部６の取り外し操作に関しても、簡単化を図ることができる。
【００２８】
以上実施形態について説明したが本発明においては、次の態様を包含する。
（１）横振り式（水平方向に揺動）の手摺り５に本発明の保持具を適用すること。この場合、一対の保持爪１３は、上下関係をもって配置することになる。その一対の保持爪１３は、前記第１，第２手摺り部７を備えるタイプにおいては、第１，第２手摺り部７のいずれかを保持することになる。
（２）前記実施形態とは逆に、ガイド孔２１を制御片１４に形成し、摺動部３１を支持板部１７に形成すること。
【図面の簡単な説明】
【００２９】
【図１】実施形態に係る保持具が設備されたトイレを説明する説明図。
【図２】可動式手摺りが使用状態にあるときにおける保持具の状態を示す斜視図。
【図３】実施形態に係る保持具を用いて可動式手摺りを保持した状態を示す斜視図。
【図４】保持具における一対の保持爪の両先端部が開放状態にあるときを示す斜視図。
【図５】保持具における一対の保持爪の両先端部が閉じ状態にあるときを示す斜視図。
【図６】ガードプレートが降ろされて実施形態に係る保持具が非使用時の状態にあることを示す斜視図。
【図７】実施形態に係る保持具を示す平面図。
【図８】図７の右側面図。
【図９】図７の縦断面図。
【図１０】実施形態に係る基板を示す平面図。
【図１１】開放状態の一対の保持爪の両先端部間から内部に手摺りを押し込むときの状態を、保持具下面側から見た図。
【図１２】図１１における手摺りの押し込み後に、一対の保持爪の両先端部が閉じ状態となって、手摺りが保持されている状態を示す動作状態図。
【図１３】閉じ状態の一対の保持爪の両先端部間から手摺りを取り外すために制御片を後退させた状態を、保持具下面側から見た図。
【図１４】図１３の操作後、手摺りを手前に引き出す状態を示す動作状態図。
【図１５】図１４の操作後、一対の保持爪の両先端部が開放状態になったことを示す動作状態図。
【符号の説明】
【００３０】
４  後壁
５  可動式手摺り
６  第１手摺り部
１１  保持具
１３  一対の保持爪
１４  制御片
１５  ガードプレート
１７  支持板部（支持板）
２３  支持軸
２４  保持爪の先端部
２６  保持爪の基端部
２６ｂ  作用面
２７ａ  第１規制面
２８ａ  第２規制面
３０  作動部（制御片）
３５  コイルスプリング（ばね部材）
【図１】
2008215010.tif 000003
【図２】
2008215010.tif 000004
【図３】
2008215010.tif 000005
【図４】
2008215010.tif 000006
【図５】
2008215010.tif 000007
【図６】
2008215010.tif 000008
【図７】
2008215010.tif 000009
【図８】
2008215010.tif 000010
【図９】
2008215010.tif 000011
【図１０】
2008215010.tif 000012
【図１１】
2008215010.tif 000013
【図１２】
2008215010.tif 000014
【図１３】
2008215010.tif 000015
【図１４】
2008215010.tif 000016
【図１５】
2008215010.tif 000017